【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
撮影対象物を撮影する撮影装置において、
前記撮影対象物を撮影して撮影画像を取得する撮影部と、
前記撮影部が取得した撮影画像を補正するための画像処理を行う画像処理部と、を備え、前記画像処理部は、
前記撮影画像のヒストグラムを取得するヒストグラム取得部と、
前記ヒストグラム取得部が取得したヒストグラムの所定のパラメータを検出するパラメータ検出部と、
前記パラメータ検出部が取得したパラメータに基づいて、前記撮影画像に示される撮影対象物の特徴を判別する特徴判別部と、
前記特徴判別部が判別した撮影対象物の特徴に応じて当該撮影画像を補正する画像補正部と、
を備える、
ことを特徴とする撮影装置。
【請求項２】
前記撮影対象物は所定の原稿であり、
前記特徴判別部は、前記パラメータに基づいて、当該撮影画像に示される原稿の種類を判別し、
前記画像補正部は、前記特徴判別部が判別した原稿の種類に応じて当該撮影画像を補正する、
ことを特徴とする請求項１に記載の撮影装置。
【請求項３】
前記特徴判別部は、前記パラメータに基づいて、当該撮影画像に示される原稿の背景色を判別し、
前記画像補正部は、前記特徴判別部が判別した原稿の種類と背景色とに応じて当該撮影画像を補正する、
ことを特徴とする請求項２に記載の撮影装置。
【請求項４】
前記ヒストグラム取得部は、少なくとも、前記撮影画像における輝度の部分布を示す輝度ヒストグラムと、前記撮影画像における色差の分布を示す色相ヒストグラムと、を取得し、
前記パラメータ検出部は、少なくとも、前記輝度ヒストグラムにおける輝度の最小値、最大値、ピーク値を輝度ヒストグラムパラメータとして検出し、前記色相ヒストグラムにおける色差のピーク値、平均値、分散値を色相ヒストグラムパラメータとして検出し、
前記特徴判別部は、前記パラメータ検出部が検出した輝度ヒストグラムパラメータと色相ヒストグラムパラメータとに基づいて、前記原稿の種類と背景色とを判別する、
ことを特徴とする請求項２または３に記載の撮影装置。
【請求項５】
前記画像補正部は、前記撮影画像の輝度を補正する、
ことを特徴とする請求項１乃至４のいずれか１項に記載の撮影装置。
【請求項６】
前記画像補正部は、前記撮影画像の色を補正する、
ことを特徴とする請求項１乃至５のいずれか１項に記載の撮影装置。
【請求項７】
前記画像補正部は、前記撮影画像に示される撮影対象の歪みを補正し、歪みが補正された撮影画像の輝度、及び／又は、色を補正する、
ことを特徴とする請求項６に記載の撮影装置。
【請求項８】
原稿が撮影された元画像データに対して前記原稿の形状歪を補正した形状歪補正画像データを生成する形状歪補正画像データ生成部と、
前記形状歪補正画像データ生成部により生成された形状歪補正画像データにおける輝度ヒストグラムまたは色相ヒストグラムを生成するヒストグラム生成部と、
前記ヒストグラム生成部により生成された輝度ヒストグラムまたは色相ヒストグラムに基づいて、前記原稿がモノクロ原稿であるかカラー原稿であるか、または、前記原稿における背景色を、原稿種別として判別する原稿種別判別部と、
前記原稿種別判別部により判別された原稿種別に応じた色補正を前記形状歪補正画像データに対して実施する色補正部と、
を備えたことを特徴とする撮影装置。
【請求項９】
前記形状歪補正画像データ生成部は、前記元画像データから前記原稿部分の画像領域を抽出するとともに、当該原稿部分からなる形状歪補正画像データを生成する、
ことを特徴とする請求項８に記載の撮影装置。
【請求項１０】
コンピュータを用いて画像補正を行うための画像処理方法であって、
所定の原稿が示される画像データを取得する画像取得ステップと、
取得された画像データに基づく所定のヒストグラムを取得するヒストグラム取得ステップと、
取得されたヒストグラムにおける所定のパラメータを検出するパラメータ検出ステップと、
検出されたパラメータに基づいて、前記原稿の種類と背景色とを判別する原稿判別ステップと、
判別された原稿の種類と背景色とに応じて、前記画像データの輝度、及び／又は、色の補正をおこなう補正ステップと、
を備えることを特徴とする画像処理方法。
【請求項１１】
前記ヒストグラム取得ステップは、前記画像データにおける輝度分布を示す輝度ヒストグラムと、前記画像データにおける色差分布を示す色相ヒストグラムと、を取得し、
前記パラメータ検出ステップは、前記輝度ヒストグラムに現れる輝度の最小値、最大値、ピーク値を輝度ヒストグラムパラメータとして検出し、前記色相ヒストグラムにおける色差のピーク値、平均値、分散値を色相ヒストグラムパラメータとして検出し、
前記原稿判別ステップは、前記輝度ヒストグラムパラメータと色相ヒストグラムパラメータとに基づいて、当該原稿の種類がモノクロであるか否か、および、当該原稿の背景色が白色であるか否かを判別し、
前記補正ステップは、判別された原稿の種類と背景色とに応じた補正パターンで輝度補正、及び／又は、色補正をおこなう、
ことを特徴とする請求項１０に記載の画像処理方法。
【請求項１２】
コンピュータに、
所定の原稿が示される画像データを取得する手順と、
取得された画像データに基づく輝度ヒストグラムと色相ヒストグラムとを取得する手順と、
取得された輝度ヒストグラムにおける輝度の最小値、最大値、ピーク値を輝度ヒストグラムパラメータとして検出し、前記色相ヒストグラムにおける色差のピーク値、平均値、分散値を色相ヒストグラムパラメータとして検出する手順と、
検出された輝度ヒストグラムパラメータと色相ヒストグラムパラメータとに基づいて、当該原稿の種類がモノクロであるか否か、および、当該原稿の背景色が白色であるか否かを判別する手順と、
判別された原稿の種類と背景色とに応じた補正パターンで輝度補正、及び／又は、色補正をおこなう手順と、
を実行させることを特徴とするプログラム。
【請求項１３】
コンピュータに、
原稿が撮影された元画像データに対して前記原稿の形状歪を補正した形状歪補正画像データを生成させる形状歪補正画像データ生成手順と、
前記形状歪補正画像データ生成手順で生成された形状歪補正画像データにおける輝度ヒストグラムまたは色相ヒストグラムを生成させるヒストグラム生成手順と、
前記ヒストグラム生成手順により生成された輝度ヒストグラムまたは色相ヒストグラムに基づいて、前記原稿がモノクロ原稿であるかカラー原稿であるか、または、前記原稿における背景色を、原稿種別として判別させる原稿種別判別手順と、
前記原稿種別判別手順により判別された原稿種別に応じた色補正を前記形状歪補正画像データに対して実施させる色補正手順と、
を実行させることを特徴とするプログラム。
【手続補正２】
【補正対象書類名】明細書
【補正対象項目名】００１３
【補正方法】変更
【補正の内容】
【００１３】
前記画像補正部は、前記撮影画像の輝度、及び／又は、色を補正することが望ましい。
前記画像補正部は、前記撮影画像に示される撮影対象の歪みを補正してもよく、この場合、前記画像補正部は、歪みが補正された撮影画像の輝度、及び／又は、色を補正することが望ましい。
【手続補正３】
【補正対象書類名】明細書
【補正対象項目名】００１４
【補正方法】変更
【補正の内容】
【００１４】
本発明の第２の観点に係る撮影装置は、
原稿が撮影された元画像データに対して前記原稿の形状歪を補正した形状歪補正画像データを生成する形状歪補正画像データ生成部と、
前記形状歪補正画像データ生成部により生成された形状歪補正画像データにおける輝度ヒストグラムまたは色相ヒストグラムを生成するヒストグラム生成部と、
前記ヒストグラム生成部により生成された輝度ヒストグラムまたは色相ヒストグラムに基づいて、前記原稿がモノクロ原稿であるかカラー原稿であるか、または、前記原稿における背景色を、原稿種別として判別する原稿種別判別部と、
前記原稿種別判別部により判別された原稿種別に応じた色補正を前記形状歪補正画像データに対して実施する色補正部と、
を備えたことを特徴とする。
また、前記形状歪補正画像データ生成部は、前記元画像データから前記原稿部分の画像領域を抽出するとともに、当該原稿部分からなる形状歪補正画像データを生成することが望ましい。
【手続補正４】
【補正対象書類名】明細書
【補正対象項目名】００１５
【補正方法】変更
【補正の内容】
【００１５】
本発明の第３の観点に係る撮影装置の画像処理方法は、
コンピュータを用いて画像補正を行うための画像処理方法であって、
所定の原稿が示される画像データを取得する画像取得ステップと、
取得された画像データに基づく所定のヒストグラムを取得するヒストグラム取得ステップと、
取得されたヒストグラムにおける所定のパラメータを検出するパラメータ検出ステップと、
検出されたパラメータに基づいて、前記原稿の種類と背景色とを判別する原稿判別ステップと、
判別された原稿の種類と背景色とに応じて、前記画像データの輝度、及び／又は、色の補正をおこなう補正ステップと、
を備えることを特徴とする。
【手続補正５】
【補正対象書類名】明細書
【補正対象項目名】００１７
【補正方法】変更
【補正の内容】
【００１７】
本発明の第４の観点に係るプログラムは、
コンピュータに、
所定の原稿が示される画像データを取得する手順と、
取得された画像データに基づく輝度ヒストグラムと色相ヒストグラムとを取得する手順と、
取得された輝度ヒストグラムにおける輝度の最小値、最大値、ピーク値を輝度ヒストグラムパラメータとして検出し、前記色相ヒストグラムにおける色差のピーク値、平均値、分散値を色相ヒストグラムパラメータとして検出する手順と、
検出された輝度ヒストグラムパラメータと色相ヒストグラムパラメータとに基づいて、当該原稿の種類がモノクロであるか否か、および、当該原稿の背景色が白色であるか否かを判別する手順と、
判別された原稿の種類と背景色とに応じた補正パターンで輝度補正、及び／又は、色補正をおこなう手順と、
を実行させるためのものである。
本発明の第５の観点に係るプログラムは、
コンピュータに、
原稿が撮影された元画像データに対して前記原稿の形状歪を補正した形状歪補正画像データを生成させる形状歪補正画像データ生成手順と、
前記形状歪補正画像データ生成手順で生成された形状歪補正画像データにおける輝度ヒストグラムまたは色相ヒストグラムを生成させるヒストグラム生成手順と、
前記ヒストグラム生成手順により生成された輝度ヒストグラムまたは色相ヒストグラムに基づいて、前記原稿がモノクロ原稿であるかカラー原稿であるか、または、前記原稿における背景色を、原稿種別として判別させる原稿種別判別手順と、
前記原稿種別判別手順により判別された原稿種別に応じた色補正を前記形状歪補正画像データに対して実施させる色補正手順と、
を実行させるためのものである。